(57)【要約】【課題】狭帯域受信装置と広帯域受信装置に対して共通リソースで制御情報を送信する場合に、広帯域受信装置宛ての信号に対するインターリーブ効果を十分に発揮させる。【解決手段】無線基地局装置は、広帯域の種別ｙの移動無線端末装置に宛てた複数のPDCCHデータについては、チャネルコーディングを行った後、ビットインターリーブを行い、そして、CCE単位のサイズでPDCCH全体サイズのインターリーブを行う。その後、CCE単位で生じる空き領域に、狭帯域の種別ｘの移動無線端末装置に宛てた複数のPDCCHデータを多重化し、各コンポーネントの帯域幅のインターリーブを実施するようにしている。また受信側である各種別ｘ、ｙの移動無線端末装置では、上述したインターリーブとは逆の手順を実行して、PDCCHデータを検出するようにしたものである。【選択図】      図６
2010200266.tif 000002
【特許請求の範囲】
【請求項１】
第１帯域幅の範囲のチャネルを用いて無線送信を行う第１方式と、前記第１帯域幅を包含する第２帯域幅の範囲のチャネルを用いて無線送信を行う第２方式とを用いて、無線受信装置にチャネル割当情報でチャネルの割り当てについて通知し、データ送信を行う無線送信装置において、
前記第２方式を用いる複数の無線受信装置にそれぞれ通知する複数の第２チャネル割当情報をそれぞれ符号化する符号化手段と、
この符号化手段でそれぞれ符号化された複数の第２チャネル割当情報を、それぞれビット単位でインターリーブする第１インターリーブ手段と、
この第１インターリーブ手段の出力を多重化する第１多重化手段と、
この多重化手段の出力を、予め設定した第１データサイズを単位として、前記第２帯域幅に応じたサイズの範囲でインターリーブする第２インターリーブ手段と、
前記第１データサイズの自然数倍の第２データサイズを有し前記第１方式を用いる無線受信装置に通知する第１チャネル割当情報を、前記第２インターリーブ手段の出力の空き領域に多重化する第２多重化手段と、
この第２多重化手段の出力を、前記第１帯域幅に応じたサイズの範囲でインターリーブする第３インターリーブ手段と、
この第３インターリーブ手段の出力を無線送信する送信手段とを具備することを特徴とする無線送信装置。
【請求項２】
さらに、前記符号化手段でそれぞれ符号化された複数の第２チャネル割当情報を選択的に用いて、前記データサイズの自然数倍の第３データサイズに多重化する第３多重化手段を備え、
前記第１インターリーブ手段は、前記第３多重化手段で多重化された複数の前記第３データサイズのデータを、それぞれ前記第３データサイズの範囲でインターリーブすることを特徴とする請求項１に記載の無線送信装置。
【請求項３】
前記第２インターリーブ手段は、前記第１帯域幅に応じたサイズに区切られた範囲毎に一方の端に詰めるインターリーブを行うことを特徴とする請求項１に記載の無線送信装置。
【請求項４】
第１帯域幅の範囲のチャネルを用いて無線送信を行う第１方式と、前記第１帯域幅を包含する第２帯域幅の範囲のチャネルを用いて無線送信を行う第２方式とを用いた通信が可能で、チャネル割当情報でチャネルの割り当てについて通知する無線送信装置と前記第２方式を用いて通信する無線受信装置において、
前記無線送信装置が送信する無線信号を受信する受信手段と、
この受信手段の出力を前記第１帯域幅に応じたサイズの範囲でデインターリーブする第１デインターリーブ手段と、
この第１デインターリーブ手段の出力から、予め設定した第１データサイズの自然数倍の第２データサイズを有し前記第１方式を用いる無線受信装置に通知する第１チャネル割当情報を除き、残るデータを前記第１データサイズを単位として、前記第２帯域幅に応じたサイズの範囲でデインターリーブする第２デインターリーブ手段と、
この第２デインターリーブ手段の出力を所定のサイズの複数のデータに分離する分離手段と、
この分離手段が出力する複数のデータを、それぞれビット単位でデインターリーブする第３デインターリーブ手段と、
この第３デインターリーブ手段の出力を復号して、前記第２方式を用いる無線受信装置に宛てた第２チャネル割当情報を得る復号手段とを具備することを特徴とする無線受信装置。
【請求項５】
さらに、前記第３デインターリーブ手段の出力を、前記第２チャネル割当情報毎に分離する復号前分離手段を備え、
前記復号手段は、前記復号前分離手段の出力を復号して、前記第２方式を用いる無線受信装置に宛てた第２チャネル割当情報を得ることを特徴とする請求項４に記載の無線受信装置。
【請求項６】
第１帯域幅の範囲のチャネルを用いて無線送信を行う第１方式と、前記第１帯域幅を包含する第２帯域幅の範囲のチャネルを用いて無線送信を行う第２方式とを用いて、無線受信装置にチャネル割当情報でチャネルの割り当てについて通知する送信方法であって、
前記第２方式を用いる複数の無線受信装置にそれぞれ通知する複数の第２チャネル割当情報をそれぞれ符号化する符号化工程と、
この符号化工程でそれぞれ符号化された複数の第２チャネル割当情報を、それぞれビット単位でインターリーブする第１インターリーブ工程と、
この第１インターリーブ工程の出力を多重化する第１多重化工程と、
この多重化工程の出力を、予め設定した第１データサイズを単位として、前記第２帯域幅に応じたサイズの範囲でインターリーブする第２インターリーブ工程と、
前記第１データサイズの自然数倍の第２データサイズを有し前記第１方式を用いる無線受信装置に通知する第１チャネル割当情報を、前記第２インターリーブ工程の出力の空き領域に多重化する第２多重化工程と、
この第２多重化工程の出力を、前記第１帯域幅に応じたサイズの範囲でインターリーブする第３インターリーブ工程と、
この第３インターリーブ工程の出力を無線送信する送信工程とを具備することを特徴とする送信方法。
【請求項７】
さらに、前記符号化工程でそれぞれ符号化された複数の第２チャネル割当情報を選択的に用いて、前記データサイズの自然数倍の第３データサイズに多重化する第３多重化工程を備え、
前記第１インターリーブ工程は、前記第３多重化工程で多重化された複数の前記第３データサイズのデータを、それぞれ前記第３データサイズの範囲でインターリーブすることを特徴とする請求項６に記載の送信方法。
【請求項８】
前記第２インターリーブ工程は、前記第１帯域幅に応じたサイズに区切られた範囲毎に一方の端に詰めるインターリーブを行うことを特徴とする請求項６に記載の送信方法。
【請求項９】
第１帯域幅の範囲のチャネルを用いて無線送信を行う第１方式と、前記第１帯域幅を包含する第２帯域幅の範囲のチャネルを用いて無線送信を行う第２方式とを用いて、無線受信装置にチャネル割当情報でチャネルの割り当てについて通知する無線送信装置から前記チャネル割当情報を受信する受信方法であって、
前記無線送信装置が送信する無線信号を受信する受信工程と、
この受信工程の出力を前記第１帯域幅に応じたサイズの範囲でデインターリーブする第１デインターリーブ工程と、
この第１デインターリーブ工程の出力から、予め設定した第１データサイズの自然数倍の第２データサイズを有し前記第１方式を用いる無線受信装置に通知する第１チャネル割当情報を除き、残るデータを前記第１データサイズを単位として、前記第２帯域幅に応じたサイズの範囲でデインターリーブする第２デインターリーブ工程と、
この第２デインターリーブ工程の出力を所定のサイズの複数のデータに分離する分離工程と、
この分離工程が出力する複数のデータを、それぞれビット単位でデインターリーブする第３デインターリーブ工程と、
この第３デインターリーブ工程の出力を復号して、前記第２方式を用いる無線受信装置に宛てた第２チャネル割当情報を得る復号工程とを具備することを特徴とする受信方法。
【請求項１０】
さらに、前記第３デインターリーブ工程の出力を、前記第２チャネル割当情報毎に分離する復号前分離工程を備え、
前記復号工程は、前記復号前分離工程の出力を復号して、前記第２方式を用いる無線受信装置に宛てた第２チャネル割当情報を得ることを特徴とする請求項９に記載の受信方法。
【発明の詳細な説明】
【技術分野】
【０００１】
この発明は、ネットワークに収容される無線基地局装置と移動無線端末装置との間の通信に関する。
【背景技術】
【０００２】
セルラーなどの移動通信システムにおいて、さまざまな用途の端末に対応するために、端末の送受信能力を規定するさまざまなパラメータが存在する（例えば、非特許文献１参照）。その組み合わせによって端末カテゴリ(UE Category)が規定されている。端末カテゴリを規定する端末の能力(UE capability)は、最大の情報伝送速度などがあり、送信、受信についてそれぞれ規定されている。基地局は、複数の端末の異なる送信能力、受信能力に合わせて、端末との間で信号の送受信を行う。上記非特許文献１では、基地局は、異なるカテゴリの端末を同時に接続可能でなければならないことを示唆している。
【０００３】
近時、Rel-8 LTE端末の受信可能帯域幅であったシステム帯域を包含する広帯域を用いるLTE-Advancedシステムが検討されている。このように狭帯域を用いるRel-8 LTE端末を、広帯域を用いる新システムでも運用できるようにするためには、新システムの基地局は、Rel-8 LTE端末でも受信可能な信号を送信しなければならない。
【０００４】
またRel-8 LTE端末は、先行して運用が開始されるため、後の新システムの稼動に合わせて、Rel-8 LTE端末が受信する帯域を変更することは困難である。また、１つの基地局の無線ゾーン内に存在するRel-8 LTE端末と、広帯域を用いる端末の比率は動的に変化する。このため、情報伝送チャネルの割り当てを制御チャネルを通じて行うLTEシステムでは、制御チャネルの構成も工夫が必要である。
【０００５】
制御チャネルは、共用リソースで送信され、各端末が自端末向けの制御情報を、ブラインド判定により検出する。基地局から送信されるDownlink physical channelでは、制御チャネルPDCCH(Physical downlink control channel)と、PDSCH(Physical downlink shared channel)が多重化されている（例えば、非特許文献２乃至４参照）
端末は、PDCCHを受信し、自端末に宛てられたPDCCHより、自端末の情報伝送チャネルPDSCHの割当情報を検出し、このPDSCH割当情報に基づいて、PDSCHを受信する。PDCCHは、端末毎に異なるスクランブルがかかっており、各端末がそれぞれ固有のPDCCHのデコード処理を行い、正しく検出されたPDCCHを自端末に宛てられたPDCCHと判定する。これがブラインド判定と称されるものである。
【０００６】
制御チャネルの送信方法としては、Rel-8 LTE端末向けの制御情報と、広帯域端末向けの制御情報を別のリソースを用いて送信する方法が考えられるが、上述したように端末の存在比率が動的に変化するので、このような方法は、リソースの効率的な利用方法とは言えない。
【０００７】
一方、制御チャネルのリソースを共通にし、動的に配分を変えるようにすれば、リソースを効率的に利用できる。しかし、制御チャネルのリソースを共通にした場合に、広帯域端末に宛ての信号に対して施すインターリーブが、その効果を十分に発揮するような検討は行われていない。
【先行技術文献】
【非特許文献】
【０００８】
【非特許文献１】3GPP(3rd Generation Partnership Project) TS 36.306 V8.2.0 (2008-05)
【非特許文献２】3GPP TS 36.211 V8.3.0 (2008-05) 6.8 Physical downlink control channel
【非特許文献３】3GPP TS 36.212 V8.3.0 (2008-05) 5.3.3 Downlink control information
【非特許文献４】3GPP TS 36.213 V8.3.0 (2008-05) 7 Physical downlink shared channel related procedures
【発明の概要】
【発明が解決しようとする課題】
【０００９】
従来では、狭帯域受信装置と広帯域受信装置に対して共通リソースで制御情報を送信する場合に、広帯域受信装置宛ての信号に対するインターリーブについての検討が十分に行われていないという問題があった。
【００１０】
この発明は上記の問題を解決すべくなされたもので、狭帯域受信装置と広帯域受信装置に対して共通リソースで制御情報を送信する場合に、広帯域受信装置宛ての信号に対するインターリーブをその効果が十分に発揮されるように実施することが可能な無線送信装置、無線受信装置および送信方法を提供することを目的とする。
【課題を解決するための手段】
【００１１】
上記の目的を達成するために、この発明は、第１帯域幅の範囲のチャネルを用いて無線送信を行う第１方式と、第１帯域幅を包含する第２帯域幅の範囲のチャネルを用いて無線送信を行う第２方式とを用いて、無線受信装置にチャネル割当情報でチャネルの割り当てについて通知し、データ送信を行う無線送信装置において、第２方式を用いる複数の無線受信装置にそれぞれ通知する複数の第２チャネル割当情報をそれぞれ符号化する符号化手段と、この符号化手段でそれぞれ符号化された複数の第２チャネル割当情報を、それぞれビット単位でインターリーブする第１インターリーブ手段と、この第１インターリーブ手段の出力を多重化する第１多重化手段と、この多重化手段の出力を、予め設定した第１データサイズを単位として、第２帯域幅に応じたサイズの範囲でインターリーブする第２インターリーブ手段と、第１データサイズの自然数倍の第２データサイズを有し第１方式を用いる無線受信装置に通知する第１チャネル割当情報を、第２インターリーブ手段の出力の空き領域に多重化する第２多重化手段と、この第２多重化手段の出力を、第１帯域幅に応じたサイズの範囲でインターリーブする第３インターリーブ手段と、この第３インターリーブ手段の出力を無線送信する送信手段とを具備して構成するようにした。
【発明の効果】
【００１２】
以上述べたように、この発明では、符号化した第２チャネル割当情報をビット単位でインターリーブしたものを多重化し、この多重化したデータを第１データサイズを単位として、第２帯域幅に応じたサイズの範囲でインターリーブし、この結果の空き領域に第１方式を用いる無線受信装置に通知する第１チャネル割当情報を多重化して、第１帯域幅に応じたサイズの範囲でインターリーブし、これを送信するようにしている。
【００１３】
したがって、この発明によれば、第１方式の無線受信装置は、第１帯域幅に応じたサイズの範囲でデインターリーブを行えば、第１チャネル割当情報を得ることができ、また第２方式の無線受信装置についても、送信側と逆順でデインターリーブおよび分離、復号を行えば第２チャネル割当情報を得ることができる。
【００１４】
すなわち、狭帯域の第１方式の受信装置と広帯域の第２方式の受信装置に対して共通リソースで制御情報を送信する場合でも、第１チャネル割当情報を送信でき、また第２チャネル割当情報については、第２帯域幅に応じたサイズの範囲でインターリーブを行っているので、インターリーブ効果を十分に発揮可能な無線送信装置、無線受信装置および送信方法を提供できる。
【図面の簡単な説明】
【００１５】
【図１】この発明に係わる無線通信システムで用いる通信帯域を説明するための図。
【図２】図１に示したサブキャリアに割り当てるリソースブロックを説明するための図。
【図３】図２に示したリソースブロックに割り当てるチャネルを説明するための図。
【図４】この発明の実施形態に係わる無線通信システムの移動無線端末装置の構成を示す回路ブロック図。
【図５】この発明の実施形態に係わる無線通信システムの無線基地局装置の構成を示す回路ブロック図。
【図６】図５に示した無線基地局装置で行われるPDCCHデータに対するインターリーブ処理を説明するための図。
【図７】図６に示した処理で用いられるインターリーブの一例を示す図。
【図８】図６に示した処理で用いられるインターリーブの一例を示す図。
【図９】図５に示した無線基地局装置で行われるPDCCHデータに対するインターリーブ処理を説明するための図。
【発明を実施するための形態】
【００１６】
以下、図面を参照して、この発明の実施形態について説明する。  
この発明に係わる無線通信システムとして、下り回線にOFDM方式を用いるセルラシステムを例に挙げて説明する。この無線通信システムは、移動無線端末装置と無線基地局装置を備え、無線基地局装置から送信し、移動無線装置で受信する下り回線においてOFDM方式による無線通信を行う。移動無線端末装置の種別には、Rel-8 LTEに準拠した種別ｘと、LTE-Advanced（以下、LTE-Aと略称する）に準拠した種別ｙの２種類がある。そして、無線基地局装置は、複数の種別ｘの移動無線端末装置および複数の種別ｙの移動無線端末装置に対して信号を送信する。
【００１７】
種別ｘの移動無線端末装置は、１コンポーネント（18.015MHz）を受信可能な最大帯域幅とし、一方、種別ｙの移動無線端末装置は、３つのコンポーネントを包含する60MHzを受信可能な最大帯域幅としている。そして、無線基地局装置は、両方の移動無線端末装置で受信可能な信号を送信する。なお、ここでは、種別ｙの移動無線端末装置の最大受信帯域幅として60MHzを例に挙げて説明するが、n×20MHzでもよい（nは、２以上の自然数）。
【００１８】
図１に示すように、１コンポーネントは、無線基地局装置によって、中心周波数にはDCサブキャリアが配置され、18.015MHz（サブキャリア数1201）の送信信号帯域が構成される。すなわち、サブキャリア間隔15kHzである。なお、無線基地局装置は、DCサブキャリアでは送信しない。また無線基地局装置は、図２に示すように、12サブキャリアからなる180kHz帯域幅で、１つのRB(Resource block)を形成する。したがって、１コンポーネントには、100個のRBを有する。なお、RBは、時間方向は14シンボルからなり、受信信号の基準とする既知信号であるリファレンス信号（Reference Signal）が挿入されている。
【００１９】
また、無線基地局装置の１つのチャネル帯域幅は20MHzであり、１コンポーネント18.015MHzとの差、すなわち1.985MHz（片側0.9925MHz）はガード帯域としている。ガード帯域は、無線基地局装置の送信フィルタ特性、移動無線端末装置の受信フィルタ特性など、理想的な特性が得ることが困難な要素部品の設計を考慮して、信号の伝送に使用しない。なお、システム記述では、DCサブキャリアの分を除いて、送信信号帯域幅18MHz、ガード帯域幅2MHz（片側1MHz）と示すことがある。
【００２０】
図３は、無線基地局装置が両種別ｘ、ｙの移動無線端末装置に向けて送信する１サブフレームの伝送信号の構成であり、この図では、周波数方向にRBを並べて示している。無線基地局装置から両種別ｘ、ｙの移動無線端末装置に伝送される信号には、制御情報を伝送する制御チャネル（PCFICH、PDCCH、PHICH）と伝送情報を伝送するデータチャネル（PDSCH）とがあり、それぞれ時分割に配分して伝送される。
【００２１】
前述したように種別ｘの移動無線端末装置は、１コンポーネントを受信可能であって、その中から１つ以上のRBがPDSCHの受信用として無線基地局装置から割り当てられる。すなわち、図３において、種別ｘの移動無線端末装置は、User B,C,D,Gに相当する。一方、種別ｙの移動無線端末装置は、３コンポーネントを同時に受信可能で、その中から１つ以上のRBがPDSCHの受信用として無線基地局装置から割り当てられる。なお、種別ｙの移動無線端末装置は、異なるコンポーネントに属する複数のRBをPDSCHの受信用とすることも可能である。すなわち、図３において、種別ｙの移動無線端末装置は、User A,E,Fに相当する。
【００２２】
両種別ｘ、ｙの移動無線端末装置は、それぞれ自端末宛てのPDCCHを受信して、この情報に基づいて、自端末宛てのPDSCHがどのRBに割り当てられているかを特定し、この特定した自端末宛てのRB（PDSCH）だけを受信する。すなわち、無線基地局装置は、PDCCHに、どの移動無線端末装置にどのPDSCHを割り当てたかを示す割当情報を含める。
【００２３】
無線基地局装置は、各移動無線端末装置に宛てたPDCCHを、信号帯域全体にわたり、多重化して配置するが、その配置は移動無線端末装置毎に固定した位置でない。このため、各移動無線端末装置は、多重化されたPDCCHの中から、自端末宛てのPDCCHを探す（ブラインド検出する）必要がある。
【００２４】
種別ｘの移動無線端末装置は、１コンポーネントだけが利用可能なので、無線基地局装置は、種別ｘの移動無線端末装置が１コンポーネントについてブラインド検出すればよいように、１コンポーネント内に、種別ｘの移動無線端末装置宛てのPDCCHおよびPDSCHを配置する。一方、種別ｙの移動無線端末装置は、３コンポーネントを利用可能なので、無線基地局装置は、図３に示すように、PDCCHを広い帯域に分散して配置する。
【００２５】
このように分散配置すると、種別ｘの移動無線端末装置は、信号帯域全体について探索する必要があるが、周波数ダイバーシチ効果が増大し、PDCCHの受信品質を向上させることができる。
【００２６】
ところで、LTE-Aシステムは、Rel-8 LTEシステムの規格を拡張することにより実現される。反対に、種別ｘの移動無線端末装置は、LTE-A規格で拡張された帯域および拡張されたPDCCH構成を受信する機能はない。LTE-Aシステムの導入に伴い、種別ｘの移動無線端末装置が受信できるPDCCHの構成は、Rel-8 LTEから変更されない。したがって、LTE-A規格は、種別ｘの移動無線端末装置の受信に支障がないように拡張される必要がある。これは、PDCCHのインターリーブについても同様である。
【００２７】
種別ｘの移動無線端末装置と種別ｘの移動無線端末装置が通信に使用するリソースの比率は、時間により変動するので、無線基地局装置において、PDCCHをマッピングするリソースの配分を予め決めておくことはできず、種別ｘの移動無線端末装置と種別ｙの移動無線端末装置は、PDCCHのリソースを共用する必要がある。このため、両種別ｘ、ｙの移動無線端末装置ｘ、ｙは、それぞれ多数のPDCCHを受信して、CRCが一致するPDCCHを探すというブラインド判定により、自端末宛てのPDCCHを検出する。
【００２８】
また検出できるPDCCHは自端末宛てのものだけなので、種別ｘの移動無線端末装置は、LTE-A規格で送信されているPDCCH全体のサイズ、すなわち、PDCCHのリソース配分を知ることはできない。同様に、移動無線端末装置ｙは、Rel-8 LTE規格で送信されているPDCCH全体のサイズ、すなわち、PDCCHのリソース配分を知ることはできない。このため、種別ｘの移動無線端末装置と種別ｙの移動無線端末装置の受信処理は、PDCCHのリソース配分によらず、同じ処理が望ましい。すなわち、PDCCHのインターリーブは、種別ｘの移動無線端末装置の受信に支障がないように、LTE-A規格のPDCCH全体のサイズによらない既定のインターリーブであることが望ましい。
【００２９】
移動無線端末装置の構成について説明する。図４にその構成を示す。上述したように、種別ｘの移動無線端末装置と種別ｙの移動無線端末装置は、互いに受信に利用するコンポーネント数で相違し、受信に関わる構成が異なるだけなので、共に図４を用いて説明する。なお、受信系で相違する構成については、後に詳述する。
【００３０】
送信部１０１は、無線基地局装置に宛てた無線信号を生成し、この信号をデュプレクサ１０８を介しアンテナを通じて空間に放射する。  
無線基地局装置から送信された無線信号は、アンテナで受信され、デュプレクサ１０８を通じて受信ＲＦ部１０９に出力される。受信された無線信号は、ダウンコンバータ及びアナログ−ディジタル変換器などを含む受信ＲＦ部１０９によってベースバンドディジタル信号に変換される。
【００３１】
高速フーリエ変換（ＦＦＴ）部１１０は、上記ベースバンドディジタル信号を、高速フーリエ変換し、これにより時間領域の信号から周波数領域の信号、すなわちサブキャリア毎の信号に分割する。このようにしてサブキャリア毎に分割された信号は、周波数チャネル分離部１１１に出力される。なお、サブキャリアは、無線基地局装置において、所定数（例えば１２）ずつリソースブロックとしてまとめられており、無線基地局装置は、このリソースブロックを１つの単位として、移動無線端末装置に割り当てを行う。
【００３２】
周波数チャネル分離部１１１は、制御部１００からの指示されるチャネル帯域およびリソースブロックについて、そのリソースブロックに含まれるサブキャリアの信号を、リファレンス信号、制御チャネルの信号およびデータチャネルの信号にそれぞれ分離する。
【００３３】
また、チャネル帯域をどのようにリソースブロックに分割したか、言い換えれば、サブキャリアとリソースブロックの対応については、無線基地局装置から移動無線端末装置へ、チャネル帯域情報およびリソースブロック数が予め通知され、サブキャリアとリソースブロックの対応については、チャネル帯域情報およびリソースブロック数から一意に求められる。すなわち、移動無線端末装置は、無線基地局装置がチャネル帯域をどのようにリソースブロックに分割しているかを予め認識しており、それに準じた受信を行う。
【００３４】
上記信号のうち、リファレンス信号は、リファレンス信号デスクランブリング部１１２により、移動無線端末装置が受信しようとする信号を送信する無線基地局装置において用いられるスクランブルパターンと逆のデスクランブリングパターンによってデスクランブルされ、この結果は制御チャネル復調部１１４、データチャネル復調部１１６および受信品質測定部１１３に出力される。受信品質測定部１１３は、上記リファレンス信号に基づいて、Ncqi個のリソースブロックの受信品質をそれぞれ測定する。これらの測定結果は、制御部１００に出力される。
【００３５】
制御チャネル復調部１１４は、周波数チャネル分離部１１１から出力される制御チャネルの信号を、リファレンス信号デスクランブリング部１１２でデスクランブリングされたリファレンス信号を用いてチャネル等化したのち復調する。
【００３６】
制御チャネル復号部１１５は、復調された制御チャネルからPCFICH、自端末宛てのPHICHを検出するとともに、復調された制御チャネルのPDCCH信号に対して、デインターリーブ、分離処理、誤り訂正復号、チャネルデコーディングなどの処理を実施して、自端末宛てのPDCCHをブラインド検出する。このようにして得られた制御チャネル（PCFICH、PHICH、PDCCH）のビット列は、制御部１００に出力される。なお、制御チャネル復号部１１５におけるこれらの受信処理は、種別ｘの移動無線端末装置と種別ｙの移動無線端末装置とで異なる。その詳細については、後に詳述する。
【００３７】
制御部１００は、当該移動無線端末装置の各部を統括して制御するものである。制御部１００は、上記制御チャネルから取得したPDCCH情報に基づいて、当該移動無線端末装置に割り当てられたデータチャネル（チャネル帯域およびリソースブロック）を検出し、このデータチャネルを通じて無線基地局装置からデータを受信するように、受信系の各部（例えば、周波数チャネル分離部１１１）を制御する。また制御部１００は、受信信号が当該移動無線端末装置宛ての信号であると判定した場合、この信号に含まれるシグナリング情報を抽出し、これからデータチャネル信号の復調に必要な情報と、データチャネル信号の復号に必要な情報を検出する。
【００３８】
データチャネル信号の復調に必要な情報は、データチャネル復調部１１６に出力され、一方、データチャネルの復号に必要な情報は、データチャネル復号部１１７に出力される。また、制御部１００は、受信信号が当該移動無線端末装置宛ての信号でないと判定した場合は、データチャネル信号の復調および復号の処理は中止される。
【００３９】
データチャネル復調部１１６は、周波数チャネル分離部１１１から出力される各信号を、リファレンス信号デスクランブリング部１１２から出力されたリファレンス信号を用いてチャネル等化したのち、制御部１００から指示される復調方式および出力される情報に基づいて復調する。
【００４０】
このようにして復調されたデータビット列は、データチャネル復号部１１７によって、デコードされ、当該移動無線端末装置宛ての下りデータビット列が得られる。ここでのデコードには、制御部１００から出力される情報が用いられる。  
なお、無線基地局装置からのデータ受信に先立って、当該移動無線端末装置の種別（ｘ、ｙ）および能力(UE capability)が、上り回線で、無線基地局装置に送信される。
【００４１】
無線基地局装置の構成について説明する。図５にその構成を示す。
【００４２】
制御部２００は、当該無線基地局装置の各部を統括して制御するものであって、例えば、移動無線端末装置の対応規格（Rel-8 LTEあるいはLTE-A）の別（ｘ、ｙ）、各移動無線端末装置宛てのデータ量や優先度、移動無線端末装置の能力(UE capability)に基づいて、フレーム毎に、どの移動無線端末装置にどのチャネル帯域を割り当てて、どのパケットを通じて送信するかを決定するスケジューラ手段を備える。
【００４３】
リファレンス信号生成部２０１は、リファレンス信号の元となるビット列を生成し、これにスクランブリングコードをかけて変調部２０３に出力する。チャネルコーディング部２０２は、チャネルコーディング器２０２１〜２０２ｍを備える。
【００４４】
チャネルコーディング器２０２１〜２０２ｍは、データチャネルを通じて送信する伝送情報（下り送信データビット列）を、それぞれ制御部２００から指示されたチャネルコーディングレートでチャネル符号化し、これによって得た下り送信データ信号を変調部２０３に出力する。なお、下り送信データビット列は、種別ｘの移動無線端末装置に宛てたデータと、種別ｘの移動無線端末装置に宛てたデータが存在する。
【００４５】
PDCCH信号生成部２１５は、制御部２００が生成した、種別ｘの移動無線端末装置に宛てたPDCCHデータと、種別ｙの移動無線端末装置に宛てたPDCCHデータが与えられる。すなわち、LTE-Aシステムの端末に宛てたPDCCHデータと、Rel-8 LTEシステムの端末に宛てたPDCCHデータが与えられる。
【００４６】
そしてPDCCH信号生成部２１５は、LTE-Aシステムの端末に宛てたPDCCHデータに対して、チャネル符号化、多重化、インターリーブなどの処理を実施し、この処理の結果に、Rel-8 LTEシステムの端末に宛てたPDCCHデータを多重化して、所定のインターリーブを行い、PDCCH信号を得る。なお、PDCCH信号生成部２１５におけるPDCCH信号を得るための処理の詳細については、後に詳述する。
【００４７】
変調部２０３は、チャネルコーディング器２０２１〜２０２ｍにそれぞれ対応する変調器２０３１〜２０３ｍと、PDCCH信号生成部２１５に対応する変調器２０３ｘを備える。変調器２０３１〜２０３ｍおよび２０３ｘは、それぞれ、上記リファレンス信号、上記下り送信データ信号、PDCCH信号に対して、制御部２００から指示された変調方式で、直交位相シフトキーイング（ＱＰＳＫ）のようなディジタル変調を施す。
【００４８】
物理リソース割当部２０４には、変調器２０３１〜２０３ｍおよび２０３ｘでディジタル変調された信号が入力されるとともに、制御部２００で生成されたPCFICH信号、PHICHが入力される。そして、これらの信号を物理リソース割当部２０４は、制御部２００から指示された所定のチャネル（制御チャネル、データチャネル）のサブキャリア（リソースブロック）にそれぞれ割り当てる。なお、ここでいう「信号をサブキャリアに割り当てる」とは、複素数値で表される信号に対して、対応するリソースブロック内のサブキャリアの時間軸上及び周波数軸上の位置を表すサブキャリアインデックスを付加することを意味する。
【００４９】
なお、当該無線基地局装置から送信されるチャネル帯域は、前述したRBに分割されており、各チャネル帯域に配置されたサブキャリアが、１つのRBとしてまとめられている。これは、無線基地局装置から移動無線端末装置へ予め通知されるチャネル帯域情報およびリソースブロック数から一意に求められるものであって、移動無線端末装置でも、RBの構成は認識されている。無線基地局装置においては、制御部２００と物理リソース割当部２０４によって実現される。
【００５０】
高速逆フーリエ変換（ＩＦＦＴ）部２０５は、物理リソース割当部２０４から出力される周波数領域の信号を時間領域の信号に変換する。そして、この信号は、ディジタル−アナログ変換器、アップコンバータ及び電力増幅器などを含む送信ＲＦ部２０６によって無線（ＲＦ）信号に変換され、これをデュプレクサ２０７およびアンテナを通じて、移動無線端末装置に向け空間に放射される。  
受信部２０８は、移動無線端末装置から送信される無線信号を受信する。
【００５１】
次に、無線基地局装置から移動無線端末装置に向けた無線信号（下り回線）で送信するPDCCH信号の生成処理について説明する。この生成処理は、PDCCH信号生成部２１５によってなされる。以下、その詳細について、図６を参照して説明する。なお、図６には、図面サイズの都合から、５つの種別ｙの移動無線端末装置に宛てた５つのPDCCHデータＡ１〜Ａ５と、４つの種別ｘの移動無線端末装置ｘに宛てた４つのPDCCHデータＬ１〜Ｌ４とを示すが、実際には、より多く移動無線端末装置にそれぞれ対応するPDCCHデータが存在する。
【００５２】
まずPDCCH信号生成部２１５は、種別ｙの移動無線端末装置に宛てたPDCCHデータＡ１〜Ａ５に対して、それぞれ誤り訂正符号化、CRCビットの付加、スクランブリングなどのチャネルコーディング処理を実施する（図６（ａ））。これにより、PDCCHデータＡ１〜Ａ５のサイズおよび符号化率に応じて、CCE(Control Channel Elements)単位の自然数倍のデータサイズの符号化データがそれぞれ生成される（図６（ｂ））。
【００５３】
次にPDCCH信号生成部２１５は、予め設定した規定のサイズになるように、上記符号化データを選択的に多重化して、複数の多重化データを得る（図６（ｃ））。そして、これらの多重化データに対して、PDCCH信号生成部２１５は、上記規定のサイズで規定のパターンのビットインターリーブを施し（図６（ｄ））、インターリーブされたデータを得る（図６（ｅ））。
【００５４】
そしてPDCCH信号生成部２１５は、このようにビットインターリーブされたデータを１つに多重化する（図６（ｆ））。つづいてPDCCH信号生成部２１５は、この多重化データをCCE単位に分け、上記PDCCH全体サイズでCCE単位の規定のパターンのインターリーブを施し（図６（ｇ））、インターリーブされたデータを得る（図６（ｈ））。
【００５５】
ここで、PDCCH全体サイズよりも、種別ｙの移動無線端末装置に宛てたPDCCHデータＡ１〜Ａ５から得たデータの合計サイズの方が小さいため。CCE単位の自然数倍サイズの空き領域が生じる。
【００５６】
ここで、図７および図８に、PDCCH全体サイズのCCE単位のインターリーブパターンの例を示す。図７に示す例は、ブロックインターリーブである。この例では、各コンポーネントに対応するレジスタを横断するように書き込む。すなわち図の縦方向に、図６（ｆ）のデータをCCE単位で書き込み、その後、各コンポーネントに対応するレジスタ毎に読み出す。すなわち、図の横方向に、データを読み出し、これにより図６（ｈ）のデータを得る。
【００５７】
LTEでは、コンポーネント毎にPDCCHサイズが異なることもある。図８は、その例である。この場合も図７の場合と同様にして、縦方向に書き込み、横方向に読み出す。なお、図７や図８に例示したようなインターリーブパターンに限らず、インターリーブのパターンにはいろいろなものがあるが、CCE単位の入出力であれば、本発明に適用可能である。
【００５８】
次にPDCCH信号生成部２１５は、図６（ｈ）のデータをRel-8 LTEで規定されるサイズ、すなわち各コンポーネント毎に分割し、上記空き領域に種別ｘの移動無線端末装置に宛てたPDCCHデータＬ１〜Ｌ４を装填して多重化する（図６（ｉ））。ここで、PDCCHデータＬ１〜Ｌ４は、CCE単位の自然数倍のデータサイズを有する。  
そして、PDCCH信号生成部２１５は、このようにして得られた多重化データをそれぞれRel-8 LTEで規定されるインターリーブサイズとパターンでインターリーブして（図６（ｊ））、複数の各コンポーネント毎のPDCCH信号を得る。
【００５９】
図６（ｈ）において、PDCCH信号生成部２１５は、各コンポーネントに対応する帯域幅のブロックの範囲内において、後ろ詰め（図面右方向）となるようにインターリーブを行うか、もしくはその範囲毎に、インターリーブしたデータを後ろに詰めると、前側（図面左方向）に、CCE単位の空き領域がまとめて生じやすくなる。
【００６０】
これに対してそれぞれの種別ｘの移動無線端末装置では、制御チャネル復号部１１５が、制御チャネル復調部１１４で復調された制御チャネルの信号から自端末宛てのPCFICH、PHICHを検出するとともに、復調された制御チャネルに含まれるPDCCH信号に対して、図６（ｊ）に対応するデインターリーブを実施して、PDCCHデータに相当する各データ候補毎に、デスクランブリング、CRCビットを用いた誤り訂正復号を行い、自端末宛てのPDCCHデータをブラインド検出する。
【００６１】
一方、それぞれの種別ｙの移動無線端末装置では、制御チャネル復号部１１５が、制御チャネル復調部１１４で復調された制御チャネルの信号から自端末宛てのPCFICH、PHICHを検出するとともに、復調された制御チャネルに含まれるPDCCH信号に対して、図６（ｊ）に対応するデインターリーブを実施し、その後、図６（ｇ）に対応するデインターリーブを実施する。
【００６２】
そしてそれぞれの種別ｙの移動無線端末装置の制御チャネル復号部１１５は、多重化されたデータを規定のサイズに分離して、図６（ｄ）に対応するデインターリーブを実施する。その後、PDCCHデータに相当する各データ候補毎に、デスクランブリング、CRCビットを用いた誤り訂正復号を行い、PDCCHデータＡ１〜Ａ５それぞれを得る。このデータは、制御部１００に出力される。
【００６３】
以上のように、上記構成の無線通信システムでは、無線基地局装置において、種別ｙの移動無線端末装置に宛てた複数のPDCCHデータについては、チャネルコーディングを行った後、ビットインターリーブを行い、そして、CCE単位のサイズでPDCCH全体サイズのインターリーブを行う。その後、CCE単位で生じる空き領域に、種別ｘの移動無線端末装置に宛てた複数のPDCCHデータを多重化し、各コンポーネントの帯域幅のインターリーブを実施するようにしている。また受信側である種別ｘ、ｙの各移動無線端末装置では、上述したインターリーブとは逆の手順を実行して、PDCCHデータを検出する。
【００６４】
したがって、上記構成の無線通信システムによれば、種別ｘの移動無線端末装置に宛てたPDCCHデータについては、Rel-8 LTEで規定されるデインターリーブで検出することができ、また種別ｙの移動無線端末装置に宛てたPDCCHデータについては、PDCCH全体サイズのインターリーブが施されるので、その効果が十分に発揮される。
【００６５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６６】
その一例として例えば、上記実施の形態では、図６に示す例では、チャネルコーディング処理を施したデータを規定サイズに多重化してから、インターリーブを行うようにした。これに代わって例えば、上記多重化の前に、インターリーブを行うにしてもよい。以下、図９を参照して詳細に説明する。
【００６７】
まずPDCCH信号生成部２１５は、５つの種別ｙの移動無線端末装置に宛てたPDCCHデータＡ１〜Ａ５に対して、それぞれ誤り訂正符号化、CRCビットの付加、スクランブリングなどのチャネルコーディング処理を実施する（図９（ａ））。これにより、PDCCHデータＡ１〜Ａ５のサイズおよび符号化率に応じて、CCE(Control Channel Elements)単位の自然数倍のデータサイズの符号化データが複数生成される（図９（ｂ））。
【００６８】
次にPDCCH信号生成部２１５は、上記チャネルコーディング処理を施したデータを、それぞれのサイズで規定のパターンのビットインターリーブを施し（図９（ｃ））、インターリーブされたデータを得る（図９（ｄ））。
【００６９】
そしてPDCCH信号生成部２１５は、インターリーブされた異なるサイズのデータを１つに多重化して、多重化データを得る（図９（ｅ））。そして、PDCCH信号生成部２１５は、この多重化データをCCE単位に分け、上記PDCCH全体サイズでCCE単位の規定のパターンのインターリーブを施し（図９（ｆ））、インターリーブされたデータを得る（図９（ｇ））。
【００７０】
ここで、PDCCH全体サイズよりも、５つの種別ｙの移動無線端末装置に宛てたPDCCHデータＡ１〜Ａ５から得たデータの合計サイズの方が小さいため、CCE単位の自然数倍サイズの空き領域が生じる。
【００７１】
また、図７や図８で説明したインターリーブパターンが適用できる。なお、図７や図８に例示したようなインターリーブパターンに限らず、インターリーブのパターンにはいろいろなものがあるが、CCE単位の入出力であれば、本発明に適用可能である。
【００７２】
次にPDCCH信号生成部２１５は、図９（ｇ）のデータをRel-8 LTEで規定されるサイズ、すなわち各コンポーネント毎に分割し、上記空き領域に４つの種別ｘの移動無線端末装置ｘに宛てたPDCCHデータＬ１〜Ｌ４を装填して多重化する（図９（ｈ））。ここで、PDCCHデータＬ１〜Ｌ４は、CCE単位の自然数倍のデータサイズを有する。  
そして、PDCCH信号生成部２１５は、このようにして得られた多重化データをそれぞれRel-8 LTEで規定されるインターリーブサイズとパターンでインターリーブして（図９（ｉ））、複数のPDCCH信号を得る。
【００７３】
図６（ｈ）において、PDCCH信号生成部２１５は、各コンポーネントに対応する帯域幅のブロックの範囲内において、後ろ詰め（図面右方向）となるようにインターリーブを行うか、もしくはその範囲毎に、インターリーブしたデータを後ろに詰めると、前側（図面左方向）に、CCE単位の空き領域がまとめて生じやすくなる。
【００７４】
これに対して、各種別ｘ、ｙの移動無線端末装置は、それぞれ制御チャネル復号部１１５が、上述した処理とは逆の順序でデインターリーブを行えばよい。  
このような処理でも、種別ｘの移動無線端末装置に宛てたPDCCHデータについては、Rel-8 LTEで規定されるデインターリーブで検出することができ、また種別ｙの移動無線端末装置に宛てたPDCCHデータについては、PDCCH全体サイズのインターリーブが施されるので、その効果が十分に発揮される。  
その他、この発明の要旨を逸脱しない範囲で種々の変形を施しても同様に実施可能であることはいうまでもない。
【符号の説明】
【００７５】
１００…制御部、１０１…送信部、１０８…デュプレクサ、１０９…受信ＲＦ部、１１０…ＦＦＴ部、１１１…周波数チャネル分離部、１１２…リファレンス信号デスクランブリング部、１１３…受信品質測定部、１１４…制御チャネル復調部、１１５…制御チャネル復号部、１１６…データチャネル復調部、１１７…データチャネル復号部、２００…制御部、２０１…リファレンス信号生成部、２０２…チャネルコーディング部、２０２１〜２０２ｍ…チャネルコーディング器、２０３…変調部、２０３１〜２０３ｍ，２０３ｘ…変調器、２０４…物理リソース割当部、２０５…ＩＦＦＴ部、２０６…送信ＲＦ部、２０７…デュプレクサ、２０８…受信部、２１５…PDCCH信号生成部。
【図１】
2010200266.tif 000003
【図２】
2010200266.tif 000004
【図３】
2010200266.tif 000005
【図４】
2010200266.tif 000006
【図５】
2010200266.tif 000007
【図６】
2010200266.tif 000008
【図７】
2010200266.tif 000009
【図８】
2010200266.tif 000010
【図９】
2010200266.tif 000011